(57)【要約】【課題】基板の縁に対して斜めに位置決めされた光ファイバーを確実に基板に押付けることができる押え部材及びそれを有する光デバイスを提供する。【解決手段】本発明による光デバイス(1)は、基板(2)の縁(38a)に対して斜めに延びるように基板(2)の上に位置決めされた光ファイバー(8)と、光ファイバー(8)を基板(2)に押付けるために光ファイバー(8)の上に配置された押え部材(28)を有する。押え部材(28)は、光ファイバー(8)に沿って光ファイバー(8)を保持する溝(20)と、基板(2)の縁(38a)と光ファイバー(8)との間の領域(40)で基板(2)に支持される平行側面(42a)の縁部(44a)を有し、この縁部(44a)は、光ファイバー(8)の軸線(8a)と平行な線上に位置する。【選択図】図１
2008249818.tif 000002
【特許請求の範囲】
【請求項１】
基板の上に位置決めされた光ファイバーと、光ファイバーを基板に押付けるために光ファイバーの上に配置された押え部材と、を有する光デバイスであって、
光ファイバーは、基板の縁に対して斜めに延びるように位置決めされ、
押え部材は、光ファイバーに沿って光ファイバーを保持する溝と、基板の前記縁と光ファイバーとの間の領域で基板に支持される支持箇所を有し、前記支持箇所は、光ファイバーの軸線と平行な線上に位置することを特徴とする光デバイス。
【請求項２】
前記支持箇所は、直線状であることを特徴とする請求項１に記載の光デバイス。
【請求項３】
前記支持箇所は、互いに離間した複数の箇所であることを特徴とする請求項１に記載の光デバイス。
【請求項４】
前記押え部材は、光ファイバーの軸線と平行な平行側面と、前記平行側面に対して傾斜して前記平行側面に接続される傾斜側面と、を有する輪郭に形成され、前記平行側面の縁部に前記支持箇所が設けられることを特徴とする請求項１〜３のいずれか１項に記載の光デバイス。
【請求項５】
前記押え部材は、平行四辺形又は台形の輪郭を有する請求項４に記載の光デバイス。
【請求項６】
基板の上に位置決めされた光ファイバーを基板に押付けるために光ファイバーの上に配置される押え部材であって、
光ファイバーに沿って光ファイバーを保持する溝を有し、
光ファイバーの軸線と平行な平行側面と、前記平行側面に対して傾斜して前記平行側面に接続される傾斜側面と、を有する輪郭に形成され、
更に、前記平行側面の縁部に、基板に支持され且つ光ファイバーと平行な支持箇所を有することを特徴とする押え部材。
【請求項７】
平行四辺形又は台形の輪郭を有する請求項６に記載の押え部材。
【発明の詳細な説明】
【技術分野】
【０００１】
本発明は、基板の上に位置決めされた光ファイバーと、光ファイバーを基板に押付けるために光ファイバーの上に配置された押え部材と、を有する光デバイスに関する。
【０００２】
また、本発明は、基板の上に位置決めされた光ファイバーを基板に押付けるために光ファイバーの上に配置される押え部材に関する。
【背景技術】
【０００３】
従来、基板の上に位置決めされた光ファイバーと、光ファイバーを基板に押付けるために光ファイバーの上に配置された押え部材と、を有する光デバイスが知られている。光デバイスは、例えば、導波路やレンズ等の光素子とそれに接続される光ファイバーとが基板の上に搭載された光合分波器、又は、基板と押え部材との間に光ファイバーを挟持した光ファイバーアレイである。基板には、例えば、光ファイバーを位置決めするためのＶ字形断面の溝が設けられている。このＶ字形断面の溝は、それに光ファイバーを載せたときに光ファイバーとそれに結合すべき光素子とが整列するような位置及び寸法に設計されている。かくして、光ファイバーをＶ字形断面の溝に載せて固定することによって、光ファイバーが光素子に対して正確に位置決めされる。また、光ファイバーを基板のＶ字形断面の溝に押付けるために、ガラス等で形成された押え部材が用いられる（例えば、特許文献１〜４参照）。基板は、一般的に、約０．８〜１ｍｍの幅を有しているに過ぎない。従って、押え部材によって光ファイバーを基板に押付けるとき、押え部材を押すための先細のピン等が用いられている。
【０００４】
【特許文献１】特開２００３−１１４３６２号公報（図２及び図３）
【特許文献２】特開２０００−２６２６５４号公報（図７）
【特許文献３】特開平１１−２５８４５９号公報（図１）
【特許文献４】特開２００４−２５２１９１号公報（図２）
【発明の開示】
【発明が解決しようとする課題】
【０００５】
図１１〜図１４を参照して、本発明が解決しようとする課題を説明する。図１１及び図１２はそれぞれ、基板の縁に対して平行に延びる２本及び１本の光ファイバーを搭載した光デバイスの一部を示す概略図である。図１３及び図１４は、基板の縁に対して斜めに延びる２本及び１本の光ファイバーを搭載した光デバイスの一部を示す概略図である。
【０００６】
図１１及び図１２に示すように、従来の光デバイス６０の押え部材６２は、いずれも、基板６４の縁６４ａに対して平行に延びる光ファイバー６６を基板６４に押付けるためのものであった（特許文献１〜４参照）。近年、図１３及び図１４に示すように、基板７４の縁７４ａに対して斜めに延びる光ファイバー７６を搭載した光デバイス７０の要望がある。
【０００７】
そこで、本発明の目的は、基板の縁に対して斜めに位置決めされた光ファイバーを確実に基板に押付けることができる押え部材及びそれを有する光デバイスを提供することにある。
【課題を解決するための手段】
【０００８】
まず、本発明者は、図１３及び図１４にそれぞれ示す押え部材７２ａ、７２ｂを使用して光ファイバー７６をピン７８によって基板７４に押付けることを試みた。図１３に示すように、２本の光ファイバー７６を押え部材７２ａによって基板７４に押付けたとき、光ファイバー７６に光を入射したときの光デバイス７０の挿入損失が小さいことが確認された。しかしながら、図１４に示すように、１本の光ファイバー７６だけを押え部材７２ｂによって基板７４に押付けたとき、２本の光ファイバー７６を押え部材７２ａによって基板７４に押付けるときと比較して、挿入損失が著しく大きくなり且つばらつくことが確認された。
【０００９】
図１４に示した押え部材（ガラスブロック）７２ｂを使用したときに挿入損失が大きくなり且つばらつく原因を調べた結果、押え部材７２ｂを押すためのピン７８が押え部材７２ｂを押す位置に応じて、基板７４に対する押え部材７２ｂの傾きが変化することがわｔかった。例えば、押え部材７２ｂの端側の領域Ｒａを押すと、基板上の光ファイバーの両端部分７６ａ、７６ｂが基板２に押付けられるのに対し、中央側の領域Ｒｂを押すと、基板上の光ファイバーの端部分７６ｂが浮き上がることが分かった。しかしながら、基板７４の幅寸法は、０．８〜１．０ｍｍ程度に過ぎないので、ピン７８が常に押え部材７２ｂの領域Ｒａを押すようにすることは困難である。
【００１０】
そこで、上記目的を達成するために、押え部材の傾きの変化を減少させる構成を検討した結果、本発明を見出した。すなわち、本発明による光デバイスは、基板の上に位置決めされた光ファイバーと、光ファイバーを基板に押付けるために光ファイバーの上に配置された押え部材と、を有する光デバイスであって、光ファイバーは、基板の縁に対して斜めに延びるように位置決めされ、押え部材は、光ファイバーに沿って光ファイバーを保持する溝と、基板の縁と光ファイバーとの間の領域で基板に支持される支持箇所を有し、支持箇所は、光ファイバーの軸線と平行な線上に位置することを特徴としている。
【００１１】
本発明による光デバイスによれば、押え部材が基板に押付けられたとき、押え部材は、その溝によって光ファイバーを保持すると共に、光ファイバーの周りに回動させられる。回動した押え部材は、基板の縁と光ファイバーとの間の領域で、光ファイバーの軸線と平行な線上で支持される。従って、押え部材は、その溝によって基板上の光ファイバーの両端部分を基板に向かって押付けた状態を保ちながら、基板に支持されることになり、基板上の光ファイバーの両端部分が浮き上がることが防止される。かくして、光ファイバーを確実に基板に押付けることができる。
【００１２】
本発明による光デバイスの実施形態において、支持箇所は、直線状であってもよいし、互いに離間した複数の箇所であってもよい。
【００１３】
また、本発明による光デバイスの実施形態において、好ましくは、押え部材は、光ファイバーの軸線と平行な平行側面と、平行側面に対して傾斜して平行側面に接続される傾斜側面とを有する輪郭に形成され、平行側面の縁部に支持箇所が設けられる。更に好ましくは、押え部材は、平行四辺形又は台形の輪郭を有する。
【００１４】
また、上記目的を達成するために、本発明による押え部材は、基板の上に位置決めされた光ファイバーを基板に押付けるために光ファイバーの上に配置される押え部材であって、光ファイバーに沿って光ファイバーを保持する溝を有し、光ファイバーの軸線と平行な平行側面と、平行側面に対して傾斜して平行側面に接続される傾斜側面と、を有する輪郭に形成され、平行側面の縁部に、基板に支持され且つ光ファイバーと平行な支持箇所を有することを特徴としている。
【００１５】
このように構成された押え部材によれば、押え部材が基板に押付けられたとき、押え部材は、その溝によって光ファイバーを保持すると共に、光ファイバーの周りに回動させられる。回動した押え部材は、光ファイバーの軸線と平行な平行側面の縁部に設けられた支持箇所で基板に支持される。また、光ファイバーが基板の縁に対して斜めに延びている場合等は、押え部材の輪郭は、平行側面に加えて、平行側面に対して傾斜して平行側面に接続された傾斜側面を有する。従って、押え部材は、その溝によって基板上の光ファイバーの両端部分を基板に向かって押付けた状態を保ちながら、基板に支持されることになり、光ファイバーの両端部分が浮き上がることが防止される。かくして、光ファイバーを確実に基板に押付けることができる。
【００１６】
本発明の押え部材の実施形態において、好ましくは、平行四辺形又は台形の輪郭を有する。
【発明の効果】
【００１７】
以上説明した通り、本発明の光デバイス及び押え部材により、基板の縁に対して斜めに延びるように基板の上に位置決めされた光ファイバーを確実に基板に押付けることができる。
【発明を実施するための最良の形態】
【００１８】
以下、図面を参照して、本発明による光デバイスを説明する。図１は、本発明による光デバイスの実施形態である光合分波器の平面図である。図２は、図１の光合分波器の正面図である。図３及び図４はそれぞれ、図１の光合分波器の右側面図、及び、線４−４における断面図である。図５及び図６はそれぞれ、図１の光合分波器の左側面図、及び、線６−６における断面図である。図７は、図１に示す光合分波器の部分的な斜視図である。
【００１９】
図１及び図２に示すように、光合分波器１は、基板２と、基板２の中間部２ｂ上に搭載された光導波路４と、基板２の一方の側２ａにおいて光導波路４に接続された第１及び第３の光ファイバー６、１０と、基板２の他方の側２ｃにおいて光導波路４に接続された第２の光ファイバー８と、光導波路４の中間部４ｂに配置された光フィルタ１２とを有している。基板２は、長手方向Ａ及びそれと垂直な幅方向Ｂに延びる矩形の形態を有している。
【００２０】
光導波路４は、コア１４とクラッド１６を有し、コア１４は、交差部１４ｄで互いに斜めに交わる複数のコア部分１４ａ、１４ｂ、１４ｃを有している。具体的には、光導波路４の一方の端面４ａから中間部４ｂまで長手方向Ａに対して交差角度αで斜めに真直ぐに延びる第１のコア部分１４ａと、中間部４ｂから光導波路４の他方の端面４ｃまで第１のコア部分１４ａと整列して真直ぐに延びる第２のコア部分１４ｂと、第１のコア部分１４ａ及び第２のコア部分１４ｂと斜めに交わるように、中間部４ｂから一方の端面４ａまで長手方向Ａに対して交差角度αで斜めに真直ぐに延びる第３のコア部分１４ｃとが設けられている。
【００２１】
第１〜第３の光ファイバー６、８、１０はそれぞれ、コア６ｃ、８ｃ、１０ｄ及びクラッド６ｄ、８ｄ、１０ｄを有し、光導波路４の第１〜第３のコア部分１４ａ〜１４ｃに整列し且つ光学的に接続されている。
【００２２】
また、図３〜図６に示すように、光ファイバー６、８、１０はそれぞれ、基板２に設けられた溝１８、２０、２２によって支持され、基板２に接着剤３０で固定されている。溝１８、２０、２２は、Ｖ字形断面を有することが好ましく、この場合、光ファイバー６、８、１０は、Ｖ字形断面の溝１８、２０、２２の２つの光ファイバー支持箇所３３ａ、３３ｂで支持される（図５参照）。光ファイバー６、８、１０の外径は、典型的には、１２５μｍである。Ｖ字形断面の溝１８、２０、２２の位置、幅及び深さは、その上に位置決めされる光ファイバー６、８、１０の光軸６ａ、８ａ、１０ａが光導波路４のコア部分１４ａ、１４ｂ、１４ｃの中心線とサブミクロンの精度で整列するように決定されている。Ｖ字形断面の溝１８、２０、２２は、アルカリ水溶液にアルコールを加えたエッチング溶液を使用する異方性エッチングによって形成されることが好ましい。かくして、第１及び第３の光ファイバー６、１０は、基板２の一方の側２ａから延び、第２の光ファイバー８は、基板２の他方の側２ｃから延びている。
【００２３】
図１及び図２に示すように、光ファイバー６、８、１０の先端部６ｅ、８ｅ、１０ｅの端面は、光導波路の端面４ａ、４ｃに合わせて、光ファイバーの光軸６ａ、８ａ、１０ａに対して斜めに形成されていることが好ましい。光ファイバー６、８、１０の先端部６ｅ、８ｅ、１０ｅは、基板２を幅方向Ｂに横断するように設けられた横断溝２３上に延びている。
【００２４】
基板２及び光導波路４には、光導波路４の中間部４ｂを横切って延びる光フィルタ１２を設置するための光フィルタ設置溝２４が形成されている。光フィルタ設置溝２４に、光フィルタ、例えば、誘電体多層膜フィルタ１２が接着剤で固定されている。光フィルタ１２は、例えば、第１の波長λ１（例えば、１３１０ｎｍ）と第２の波長λ２（例えば、１４９０ｎｍ）の光を透過し、第３の波長λ３（例えば、１５５０ｎｍ）の光を反射する。
【００２５】
また、光合分波器１は、基板２の上に位置決めされた第１及び第３の光ファイバー６、１０をＶ字形断面の溝１８、２２、即ち、基板２に押付けるために光ファイバー６、１０の上に配置される押え部材（ガラスブロック）２６と、第２の光ファイバー８をＶ字形断面の溝２０に押付けるための押え部材２８とを有している。光ファイバー６、８、１０及び押え部材２６、２８は、接着剤３０によって基板に固定されている。
【００２６】
図１〜図４に示すように、押え部材２６は、平面視において矩形の輪郭を有している。押え部材２６は、上面２６ａ及び下面２６ｂを有し、下面２６ｂに、第１及び第３の光ファイバー６、１０を位置決めするための溝３２ａ、３２ｃが設けられている。溝３２ａ、３２ｃの断面輪郭は、弧状であることが好ましい。また、下面２６ｂには、両端部２６ｃ、２６ｄを残して、幅方向Ｂに貫通する凹部３４を有している。また、平面視において、溝３２ａ、３２ｂの間に位置する上面２６ａの部分を領域３６とする。
【００２７】
図１、図２、図５〜図７に示すように、押え部材２８は、平面視において平行四辺形の輪郭を有している。押え部材２８は、上面２８ａ及び下面２８ｂを有し、下面２８ｂに、第２の光ファイバー８を位置決めするための溝３２ｂが設けられている。溝３２ｂの断面輪郭は、弧状であることが好ましい。この溝３２ｂは、光ファイバー８に沿って光ファイバーを押える押え箇所３３ｃを有している。また、下面２８ｂには、両端部２８ｃ、２８ｄを残して、幅方向Ｂに貫通する凹部３６を有している。かくして、基板２上の光ファイバー８の両端部８ｆ、８ｇが押え部材２８によって基板２に押付けられる。また、基板２は、長手方向Ａに互いに平行に延びる縁３８ａ、３８ｂを有している。かくして、光ファイバー８は、基板２の縁３８ａ、３８ｂに対して斜めに延びるように位置決めされている。平面視において、光ファイバー８から遠い方の縁３８ａとＶ字形断面の溝２０との間に位置する部分を領域４０とする。
【００２８】
押え部材２８は、更に、光ファイバー８の軸線８ａと平行な平行側面４２ａ、４２ｂと、平行側面４２ａ、４２ｂに対して傾斜して平行側面４２ａ、４２ｂに接続される傾斜側面４４ａ、４４ｂとを有している。具体的には、傾斜側面４４ａ、４４ｂは、平行側面４２ａ、４２ｂ間を幅方向Ｂに延び、平行側面４２ａ、４２ｂ及び傾斜側面４４ａ、４４ｂは、平行四辺形の輪郭を構成している。
【００２９】
縁３８ａの側の平行側面４２ａは、その下方に位置し且つ互いに離間した長手方向の縁部４６ａ、４６ｂを有し、縁３８ｂの側の平行側面４２ｂは、その下方に位置し且つ互いに離間した長手方向の縁部４６ｃ、４６ｄを有している（図５及び図６参照）。縁部４６ａ〜４６ｄは、第２の光ファイバー８の軸線８ａと平行な線上に位置している。また、縁部４６ａ、４６ｂは、基板２の縁３８ａと光ファイバー８との間の領域４０で基板２に支持される支持箇所を構成する。縁部４６ｃ、４６ｄは、基板上に位置することが好ましい。
【００３０】
次に、上述した押え部材２６、２８の作用を説明する。基板２のＶ字形断面の溝１８、２０、２２に接着剤３０を塗布し、溝１８、２０、２２にそれぞれ、光ファイバー６、８、１０を載せる。次いで、第１及び第３の光ファイバー６、１０の上に押え部材２６を載せ、第２の光ファイバー８の上に押え部材２８を載せる。
【００３１】
押え部材２６の領域３６をその上からピン７８（図１３及び図１４参照）によって押すと、押え部材２６は、基板２上に位置する第１及び第３の光ファイバー６、１０全体をほぼ均等に基板２に向かって押付ける。
【００３２】
また、押え部材２８をその上からピン７８によって押すと、基板２の上に１本の光ファイバー８しかないので、押え部材２８は、その溝３２ｂによって光ファイバー８を保持した状態で、光ファイバー８の周りに回動させられる。逆にいえば、押え部材２８は、押え箇所３３ｃで光ファイバー８によって支持される。回動した押え部材２８は、基板２の縁３８ａと光ファイバー８との間の領域４０で、光ファイバー８の軸線８ａと平行な線４０ａ上で支持される。詳細には、押え部材２８は、光ファイバー８の軸線８ａと平行な押え部材２８の平行側面４２ａの縁部４６ａ、４６ｂによって基板２に支持される。かくして、押え部材２８は、ピン７８（図１３及び図１４参照）が押す位置と無関係に、押え箇所３３ｃ及び縁部４６ａ、４６ｂによって支持され、基板２上の光ファイバー８の両端部分８ｆ、８ｇを基板２に向かって押付けた状態を保つことができる。その結果、挿入損失を小さくすることができる。
【００３３】
また、挿入損失を小さくするために、光ファイバー８は、押え部材２８の溝３２ｂの押え箇所３３ｃと、基板２の溝２０の２つの光ファイバー支持箇所３３ｂ、３３ｃとによって３点支持されることが好ましい（図５参照）。この場合、光ファイバー８を押え部材２８の溝３２ｂ及び基板２のＶ字形断面の溝２０に接着剤樹脂で固定したとき、光ファイバー８と押え部材２８の押え箇所３３ｃ又はＶ字形断面の溝２０の光ファイバー支持箇所３３ａ、３３ｂとの間に樹脂が介在していることが一般的であるが、それらが直接接触していてもよい。
【００３４】
上述した光フィルタ１２の例において、第２の光ファイバー８（Ｏポート）に第１の波長λ１（例えば、１３１０ｎｍ）の光を入射すると、第１の波長のλ１の光は、光フィルタ１２を透過して、第１の光ファイバー６（Ｃポート）に伝搬する。また、第１の光ファイバー６（Ｃポート）に第２の波長λ２（例えば、１４９０ｎｍ）の光を入射すると、第２の波長λ２の光は、光フィルタ１２を透過して、第２の光ファイバー８に伝搬する。また、第１の光ファイバー６に第３の波長λ３（例えば、１５５０ｎｍ）の光を入射すると、第３の波長λ３の光は、光フィルタ１２で反射して、第３の光ファイバー１０（Ｖポート）に伝搬する。
【００３５】
次に、本発明と比較例との実験例を説明する。表１は、図１に示した光合分波器の挿入損失及び偏波依存性を示す。表１から分かるように、挿入損失及び偏波依存性の両方ともそれぞれの許容値である０．７ｄＢ以下、０．２ｄＢ以下を満たしている。また、各データのばらつきが小さくなっていた。
【００３６】
【表１】
2008249818.tif 000003
【００３７】
表２は、図１に示した光合分波器１の他方の側２ｃの押え部材２８の代わりに、一方の側２ａの押え部材２６を使用したときの、挿入損失及び偏波依存性を示す。即ち、一方の側２ａと他方の側２ｃの両方に、矩形輪郭の押え部材２６を使用した。表２から分かるように、挿入損失及び偏波依存性の両方とも、それぞれの許容値である０．７ｄＢ以下、０．２ｄＢ以下を満たしていない。また、各データのばらつきが大きかった。
【００３８】
【表２】
2008249818.tif 000004
【００３９】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００４０】
上記実施形態では、押え部材２８は、平行四辺形の輪郭を有していたけれども、基板２上の光ファイバー８の両端部８ｆ、８ｇを基板２に押付けることができれば、その他の輪郭であってもよい。例えば、縁部４６ａ、４６ｂを有していれば、長方形、台形、半円形等の輪郭を有していてもよい。また、基板２に対する平行面４４ａの角度も任意である。図８は、台形輪郭の押え部材を有する光合分波器の部分的な平面図であり、図９は、図８に示す光合分波器の部分的な斜視図である。図８及び図９に示すように、光合分波器１’において、基板２の縁３８ｂ側の押え部材２８’の平行側面４２ｂ’が基板２の縁３８ｂと平行であってもよい。また、図１０は、平行四辺形輪郭の押え部材を有する光合分波器の部分的な斜視図である。図１０に示すように、光合分波器１''において、基板２の縁３８ｂ側の押え部材２８''の平行側面４２ｂ''が基板２の縁３８ｂを越えて延びていてもよい。また、押え部材は、図１０に示されるように、光ファイバーが押え部材の中心位置に納まるように光ファイバーに対して対称構造をしていてもよいし、図１，７，８，９に示されるように非対称構造であってもよい。
【００４１】
また、上記実施形態では、押え部材２８は、２つの縁部４６ａ、４６ｂを有していたけれども、凹部３６をなくして連続状の１つの縁部にしてもよいし、凹部３６の数を増やして、３つ以上の縁部を有していてもよい。
【００４２】
また、上記実施形態では、基板２の縁３８ａ側の押え部材２８の縁部４６ａ、４６ｂを支持箇所としたが、光ファイバー８に対する基板２の縁３８ｂ側に押え部材２８を支持するのに十分な領域があれば、押え部材２８の縁部４６ｃ、４６ｄを支持箇所としてもよい。
【００４３】
また、上記実施形態では、光デバイス１を光合分波器としたが、光ファイバーを押え部材によって基板に押付ける構造を有していれば、その他の光デバイスであってもよい。
【図面の簡単な説明】
【００４４】
【図１】本発明による光デバイスの実施形態である光合分波器の平面図である。
【図２】図１の光合分波器の正面図である。
【図３】図１の光合分波器の右側面図である。
【図４】図１の光合分波器の線４−４における断面図である。
【図５】図１の光合分波器の左側面図である。
【図６】図１の光合分波器の線６−６における断面図である。
【図７】図１に示す光合分波器の部分的な斜視図である。
【図８】台形輪郭の押え部材を有する光合分波器の部分的な平面図である。
【図９】図８に示す光合分波器の部分的な斜視図である。
【図１０】平行四辺形輪郭の押え部材を有する光合分波器の部分的な斜視図である。
【図１１】基板の縁に対して平行に延びる２本の光ファイバーを搭載した光デバイスの一部を示す概略図である。
【図１２】基板の縁に対して平行に延びる１本の光ファイバーを搭載した光デバイスの一部を示す概略図である。
【図１３】基板の縁に対して斜めに延びる２本の光ファイバーを搭載した光デバイスの一部を示す概略図である。
【図１４】基板の縁に対して斜めに延びる１本の光ファイバーを搭載した光デバイスの一部を示す概略図である。
【符号の説明】
【００４５】
１  光デバイス
２  基板
８  光ファイバー
２８  押え部材
３２ｂ  溝
３８ａ、３８ｂ  基板の縁
４０  領域
４２ａ  平行面
４４ａ、４４ｂ  傾斜面
４６ａ、４６ｂ  縁部（支持箇所）
【図１】
2008249818.tif 000005
【図２】
2008249818.tif 000006
【図３】
2008249818.tif 000007
【図４】
2008249818.tif 000008
【図５】
2008249818.tif 000009
【図６】
2008249818.tif 000010
【図７】
2008249818.tif 000011
【図８】
2008249818.tif 000012
【図９】
2008249818.tif 000013
【図１０】
2008249818.tif 000014
【図１１】
2008249818.tif 000015
【図１２】
2008249818.tif 000016
【図１３】
2008249818.tif 000017
【図１４】
2008249818.tif 000018